(57)【要約】【課題】回動中心軸が簡単に脱落しないケース及び該ケースを具えたキャビネットを提供する。【解決手段】ケース1は、被回動部材に嵌まった回動中心軸4をケース本体10の軸受け部11に嵌めており、回動中心軸4には被回動部材を一方向に付勢するネジリバネ5が嵌まっている。回動中心軸4上にて軸受け部11の外側に位置する箇所には、ネジリバネ5の一方の脚片50が嵌まる溝40が形成されている。また、該ケース1が嵌まるキャビネット2の凹部20内側には、回動中心軸4の溝40側の端部に接して、回動中心軸4の軸受け部11からの脱落を防ぐ突片21が設けられている。【選択図】  図３
2006119488.tif 000002
【特許請求の範囲】
【請求項１】
被回動部材に嵌まった回動中心軸(４)をケース本体(10)の軸受け部(11)に嵌め、回動中心軸(４)には被回動部材を一方向に付勢するネジリバネ(５)が嵌まり、回動中心軸(４)上にて軸受け部(11)の外側に位置する箇所には、ネジリバネ(５)の一方の脚片(50)が嵌まる溝(40)が形成されていることを特徴とするケース。
【請求項２】
ケース本体(10)内には、電池(６)が収納され、被回動部材は電池(６)がケース本体(10)から抜け出ることを防ぐストッパ(３)である請求項１に記載のケース。
【請求項３】
請求項１のケースが嵌まる凹部(20)が設けられ、該凹部(20)の内側には回動中心軸(４)の溝(40)側の端部に接して、回動中心軸(４)の軸受け部(11)からの脱落を防ぐ突片(21)が設けられたキャビネット。
【発明の詳細な説明】
【技術分野】
【０００１】
本発明は、ケース及び該ケースが嵌まるキャビネットに関し、具体的には電池が収納されるケース及び該ケースが嵌まるデジタルカメラ用のキャビネットに関する。
【背景技術】
【０００２】
図６は、一般的な電池ケースを示す斜視図である(例えば、特許文献１参照)。これは被回動部材である蓋体(８)の基端部に回動中心軸(４)を嵌め、該回動中心軸(４)の両端部をケース本体(10)に開設された軸穴に圧入している。回動中心軸(４)と軸穴の嵌合が緩いと、回動中心軸(４)がケース本体(10)から抜ける虞れがあるから、回動中心軸(４)を軸穴に圧入しているのである。ケース本体(10)は合成樹脂製で回動中心軸(４)は金属製であり、蓋体(８)は回動中心軸(４)を中心に回動して開閉する。
【０００３】
【特許文献１】特開平９−４６０６２号公報
【発明の開示】
【発明が解決しようとする課題】
【０００４】
回動中心軸(４)をケース本体(10)の軸穴に圧入している従来の構成では、蓋体(８)を繰り返し開閉したり、蓋体(８)の大きな負荷荷重が加わると、ケース本体(10)上にて軸穴の近傍にクラックが入り、回動中心軸(４)が脱落する虞れがある。回動中心軸(４)は前記の如く、金属製であるから、回動中心軸(４)が脱落して、通電箇所に接すると、ショートを引き起こす重大な不良となる。
また、修理等で蓋体(８)を交換するには、回動中心軸(４)を軸穴から引き抜く必要がある。しかし、回動中心軸(４)を軸穴から引き抜くことを繰り返すと、軸穴の径が大きくなり、これによっても回動中心軸(４)が脱落しやすくなる。特に、軸穴の径が大きくなると、ケース本体(10)を交換しなければならないから、ユーザに不利益となる。
本発明の目的は、回動中心軸が簡単に脱落しないケース及び該ケースを具えたキャビネットを提供することにある。
【課題を解決するための手段】
【０００５】
本発明のケース(１)は、被回動部材に嵌まった回動中心軸(４)をケース本体(10)の軸受け部(11)に嵌めており、回動中心軸(４)には被回動部材を一方向に付勢するネジリバネ(５)が嵌まっている。回動中心軸(４)上にて軸受け部(11)の外側に位置する箇所には、ネジリバネ(５)の一方の脚片(50)が嵌まる溝(40)が形成されている。
また、該ケース(１)が嵌まるキャビネット(２)の凹部(20)内側には、回動中心軸(４)の溝(40)側の端部に接して、回動中心軸(４)の軸受け部(11)からの脱落を防ぐ突片(21)が設けられている。
【発明の効果】
【０００６】
ケース(１)にあっては、ネジリバネ(５)の脚片(50)が、回動中心軸(４)の溝(40)に嵌合することにより、回動中心軸(４)は軸方向に沿って移動することが規制される。これにより、回動中心軸(４)は軸受け部(11)から脱落することは防止される。回動中心軸(４)をケース本体(10)に圧入する必要がないから、従来のように軸穴の径が大きくなる不具合はなく、ケース本体(10)の品質を保ちつつ、コスト上昇も抑えることができる。
また、該ケース(１)がキャビネット(２)の凹部(20)に嵌まった状態では、突片(21)が回動中心軸(４)の溝(40)側の端部に接している。これによって、更に、回動中心軸(４)をケース本体(10)に圧入する必要なくして、回動中心軸(４)が軸受け部(11)から脱落することを防止することができる。
【発明を実施するための最良の形態】
【０００７】
以下、本発明の一実施例を図を用いて詳述する。
図１は、デジタルカメラ用のキャビネット(２)とケース(１)の斜視図である。該キャビネット(２)は、鏡筒が嵌まる保持環(22)を具え、電池収納用のケース(１)が嵌まる凹部(20)を開設している。該凹部(20)の内側には、突片(21)が設けられ、該突片(21)の役割については後記する。
ケース(１)は、ケース本体(10)の上端部に切欠き(14)を設け、該切欠き(14)内に電池が飛び出ることを防ぐストッパ(３)が回動可能に設けられている。
図２は、ケース(１)の斜視図であり、図３は、該ケース(１)の正面図、図４は、ケース(１)の側面断面図である。ケース本体(10)には電池(６)が収納される開口(13)が設けられ、ケース本体(10)の外側には軸受け部(11)(11)が設けられている。前記ストッパ(３)は軸受け部(11)(11)に両端部が支持された回動中心軸(４)に嵌まっており、該回動中心軸(４)にはネジリバネ(５)が嵌まっている。該ネジリバネ(５)によってストッパ(３)は開口(13)に向けて付勢されている。電池(６)を開口(13)内に挿入するには、手でストッパ(３)をネジリバネ(５)に抗して外向きに回動させてから、電池(６)を挿入する。電池(６)を挿入後に、ストッパ(３)から手を離すと、ネジリバネ(５)によってストッパ(３)は復帰し、ストッパ(３)は電池(６)の上端面に被さって、開口(13)から電池(６)が飛び出すことを防ぐ。
【０００８】
回動中心軸(４)の端部にて、一方の軸受け部(11)の外側には、溝(40)が設けられている。ネジリバネ(５)の一方の脚片(50)は、回動中心軸(４)から下向きに延びる第１片(51)と、該第１片(51)の下端から水平(図２、図３では右向き)に延びる第２片(52)と、第２片(52)の右端から上向きに延びる第３片(53)を具えている。第２片(52)は、ケース本体(10)の側面から突出した受け片(12)によって外向きに外れることが規制され、第３片(53)の先端部が回動中心軸(４)の溝(40)に嵌まる。
脚片(50)が、溝(40)に嵌合することにより、図５に拡大して示すように、回動中心軸(４)は軸方向に沿って移動することが規制される。これにより、回動中心軸(４)は軸受け部(11)から脱落することは防止される。回動中心軸(４)をケース本体(10)に圧入する必要がないから、従来のように軸穴の径が大きくなる不具合はなく、ケース本体(10)の品質を保ちつつ、コスト上昇も抑えることができる。
【０００９】
回動中心軸(４)をストッパ(３)に取り付けるには、図３の軸受け部(11)(11)間にストッパ(３)を挿入する。ストッパ(３)内にネジリバネ(５)の巻径部を嵌め、右側の軸受け部(11)の外側から回動中心軸(４)を、軸受け部(11)(11)及びネジリバネ(５)の巻径部に挿入する。軸受け部(11)の外側に溝(40)が配備する位置にて、回動中心軸(４)の挿入を止め、受け片(12)に支持されたネジリバネ(５)の脚片(50)を、溝(40)に嵌めれば、回動中心軸(４)のストッパ(３)への取付けが完了する。
脚片(50)にて、回動中心軸(４)を図３の左向きに付勢し、軸受け部(11)から更に抜けにくくしてもよい。
【００１０】
脚片(50)を、溝(40)に嵌めることにより、回動中心軸(４)は軸方向に沿う移動が規制される。しかし、これは仮止めの状態であり、ケース(１)に衝撃が加わると、脚片(50)が溝(40)から外れ、回動中心軸(４)が軸受け部(11)から外れる虞れがある。
従って、本例にあっては、図３に示すように、ケース(１)をキャビネット(２)に組み込んだ状態で、前記の突片(21)を回動中心軸(４)の溝(40)が設けられた方の端面に当てている、又は端部との間に僅かな隙間を設けている。ケース(１)に衝撃が加わって、回動中心軸(４)が軸方向に動いても、回動中心軸(４)の移動は突片(21)によって規制される。
これによって、更に、回動中心軸(４)をケース本体(10)に圧入する必要なくして、回動中心軸(４)が軸受け部(11)から脱落することを防止することができる。
【００１１】
上記例では、キャビネット(２)としてデジタルカメラ用を例示し、ケース(１)として電池(６)収納用を例示した。しかし、一般にケース本体(10)に回動中心軸(４)を介して、被回動部材が取り付けられる構成であれば、本発明の内容は適用可能である。例えば、ストッパ(３)を蓋体に代えてもよい。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１３】
【図１】キャビネットとケースの斜視図である。
【図２】ケースの斜視図である。
【図３】ケースの正面図である。
【図４】ケースの側面断面図である。
【図５】回動中心軸と溝の拡大斜視図である。
【図６】従来の一般的な電池ケースを示す斜視図である。
【符号の説明】
【００１４】
(１)  ケース
(２)  キャビネット
(３)  ストッパ
(４)  回動中心軸
(５)  ネジリバネ
(６)  電池
(10)  ケース本体
(11)  軸受け部
(20)  凹部
(40)  溝
(50)  脚片
【図１】
2006119488.tif 000003
【図２】
2006119488.tif 000004
【図３】
2006119488.tif 000005
【図４】
2006119488.tif 000006
【図５】
2006119488.tif 000007
【図６】
2006119488.tif 000008